(57)【要約】      （修正有）【課題】トリミングまたは収穫をすると同時に、植物の切断面を加熱して消毒することが可能なため、作業効率が大幅に増加するガーデニング用鋏を提供する。【解決手段】一側に第１刃部１１が設けられており、他側に第１突部１２が設けられている第１刃部材１０と、第１刃部材１０に枢着されており、第１刃部材１０と交差する第２刃部材２０と、前端が第１刃部材１０の後端に固定されている第１ハンドルと、前端が第２刃部材２０の後端に固定されている第２ハンドル４０と、第１円筒部５１を有し、第１円筒部５１の開口の兩側から、第１挟み板部５２と第２挟み板部５３とが伸びる第１位置決め部材５０と、第２円筒部６１を有し、第２円筒部６１の開口の兩側から、第３挟み板部６２と第４挟み板部６３とが伸びる第２位置決め部材６０と、第１円筒部５１の内部に位置決められている第１発熱部材７０と、第２円筒部６１の内部に位置決められている第２発熱部材８０と、を備える。【選択図】図１
0003218896.tif 000002
【実用新案登録請求の範囲】
【請求項１】
一側に第１刃部が設けられており、他側に第１突部が設けられており、前記第１突部に第１貫通孔が設けられている第１刃部材と、
前記第１刃部材に枢着されており、前記第１刃部材と交差し、一側に第２刃部が設けられており、他側に第２突部が設けられており、前記第２突部に第２貫通孔が設けられている第２刃部材と、
前端が前記第１刃部材の後端に固定されている第１ハンドルと、
前端が前記第２刃部材の後端に固定されている第２ハンドルと、
熱伝導性の高い金属材料で製造される第１円筒部を有し、前記第１円筒部の開口の兩側から、第１挟み板部と第２挟み板部とが伸び、前記第１突部に脱着可能に固定されている第１位置決め部材と、
熱伝導性の高い金属材料で製造される第２円筒部を有し、前記第２円筒部の開口の兩側から、第３挟み板部と第４挟み板部とが伸び、前記第２突部に脱着可能に固定されている第２位置決め部材と、
前記第１円筒部の内部に位置決められている第１発熱部材と、
前記第２円筒部の内部に位置決められている第２発熱部材と、
を備え、
前記第１刃部材は金属で作製されており、
前記第2刃部材は金属で作製されており、
前記第１ハンドルは電気絶縁材料で作製されており、
前記第2ハンドルは電気絶縁材料で作製されている、
ことを特徴とするガーデニング用鋏。
【請求項２】
前記第１挟み板部と前記第２挟み板部とには、前記第１貫通孔に対向する第１結合孔が設けられており、前記第１挟み板部と前記第２挟み板部との間に前記第１突部を入れて、第１締結部材によりロックし、前記第３挟み板部と前記第４挟み板部との間に一定の距離が存在し、前記第３挟み板部と前記第４挟み板部とには、前記第２貫通孔に対向する第２結合孔が設けられており、前記第３挟み板部と前記第４挟み板部との間に前記第２突部を入れて、第２締結部材によりロックすることを特徴とする、請求項１に記載のガーデニング用鋏。
【考案の詳細な説明】
【技術分野】
【０００１】
本考案は、ガーデニング用具に関し、特に、殺菌機能を有するガーデニング用鋏に関するものである。
【背景技術】
【０００２】
ユーザが、ガーデニング用鋏により、木、花、野菜や果物などの植物をトリムし、又は収穫するときには、当該植物の切断面に、いわゆる機械的な傷が発生する。結果として、病気になった植物は、当該機械的な傷口を介して病原体に感染され、更に、農作物が集団感染されて枯死する。
【０００３】
上記のような問題を解決するために、切断面に薬を付けることにより、消毒殺菌作業を行うことが必要である。すなわち、対象とする植物に対してトリム作業を行うときには、ユーザが、手でガーデニング用鋏を持って、対象とする植物をトリムした後、トリムされた植物の切断面に薬液を付けることが必要である。そうすると、植物のトリム作業の効率が良くなく、そしてトリムした後、ユーザは、トリムされた植物の切断面に薬液を付けることを忘れることがある。更に、雇用される作業者は、薬液を付ける作業が面倒なため、トリムされた植物の切断面に薬液を付けることをしないことがある。
【０００４】
本考案に係るガーデニング用鋏によれば、トリミングまたは収穫をすると同時に、植物の切断面を加熱して消毒することが可能なため、作業効率が大幅に増加し、作業者が消毒作業を忘れることを回避することが可能である。
【考案の概要】
【考案が解決しようとする課題】
【０００５】
本考案の主な目的は、トリミングまたは収穫をすると同時に、植物の切断面を加熱して消毒することが可能なため、作業効率が大幅に増加するガーデニング用鋏を提供することにある。
【課題を解決するための手段】
【０００６】
本考案のガーデニング用鋏によると、一側に第１刃部が設けられており、他側に第１突部が設けられており、第１突部に第１貫通孔が設けられている第１刃部材と、
第１刃部材に枢着されており、第１刃部材と交差し、一側に第２刃部が設けられており、他側に第２突部が設けられており、第２突部に第２貫通孔が設けられている第２刃部材と、
前端が第１刃部材の後端に固定されている第１ハンドルと、
前端が第２刃部材の後端に固定されている第２ハンドルと、
第１円筒部を有し、第１円筒部の開口の兩側から、第１挟み板部と第２挟み板部とが伸び、第１突部に脱着可能に固定されている第１位置決め部材と、
第２円筒部を有し、第２円筒部の開口の兩側から、第３挟み板部と第４挟み板部とが伸び、第２突部に脱着可能に固定されている第２位置決め部材と、
第１円筒部の内部に位置決められている第１発熱部材と、
第２円筒部の内部に位置決められている第２発熱部材と、
を備えることを特徴とする。
【０００７】
本考案のガーデニング用鋏によると、第１挟み板部と第２挟み板部とには、第１貫通孔に対向する第１結合孔が設けられており、第１挟み板部と第２挟み板部との間に第１突部を入れて、第１締結部材によりロックし、第３挟み板部と第４挟み板部との間に一定の距離が存在し、第３挟み板部と第４挟み板部とには、第２貫通孔に対向する第２結合孔が設けられており、第３挟み板部と第４挟み板部との間に第２突部を入れて、第２締結部材によりロックすることを特徴とする。
【考案の効果】
【０００８】
本考案のガーデニング用鋏によれば、次のような効果がある。
（１）トリミングまたは収穫をすると同時に、植物の切断面を加熱して消毒することが可能なため、作業効率が大幅に増加する。
【０００９】
（２）作業者が消毒作業を忘れることを回避することが可能である。
【００１０】
（３）第１ハンドル３０と第２ハンドル４０とはベークライトで作製されたため、ユーザが感電されることを防止することが可能であり、安全性は極めて高い。
【００１１】
（４）第１発熱部材７０と第２発熱部材８０とが長期間に利用されて故障した場合には、第１置決め部材５０と第２位置決め部材６０と取り外すだけで、第１発熱部材７０と第２発熱部材８０とを交換することが可能である。
【図面の簡単な説明】
【００１２】
【図１】本考案に係るガーデニング用鋏を示す分解斜視図である。
【図２】図２の組合済み状態を示す斜視図である。
【図３】図２の３-３線の拡大断面図である。
【図４】図２の正面図である
【考案を実施するための形態】
【００１３】
以下、本考案の実施の形態を図面に基づいて説明する。
【００１４】
図１から図４を参照する。本考案に係るガーデニング用鋏は、第１刃部材１０と、第２刃部材２０と、第１ハンドル３０と、第２ハンドル４０と、第１位置決め部材５０と、第２位置決め部材６０と、第１発熱部材７０と、第２発熱部材８０と、弾性部材９０と、を備える。
【００１５】
第１刃部材１０は、例えばステンレスなどの金属で作製され、一側に第１刃部１１が設けられており、他側に第１突部１２が設けられており、第１突部１２に第１貫通孔１２１が設けられている。
【００１６】
第２刃部材２０は、第１刃部材１０に枢着されており、第１刃部材１０と交差し、例えばステンレスなどの金属で作製され、一側には、第１刃部１１に対向する第２刃部２１が設けられており、他側に第２突部２２が設けられており、第２突部２２に第２貫通孔２２１が設けられている。
【００１７】
第１ハンドル３０は、例えばベークライトなどの電気絶縁材料で作製され、前端が第１刃部材１０の後端に固定されている。
【００１８】
第２ハンドル４０は、例えばベークライトなどの電気絶縁材料で作製され、前端が第２刃部材２０の後端に固定されている。
【００１９】
第１位置決め部材５０は、例えばアルミニウムなどの熱伝導性が良い材料で作製され、第１円筒部５１を有し、第１円筒部５１の開口の兩側から、第１挟み板部５２と第２挟み板部５３とが伸び、第１挟み板部５２と第２挟み板部５３との間に一定の距離が存在し、第１挟み板部５２と第２挟み板部５３とには、第１刃部材１０の第１貫通孔１２１に対向する第１結合孔５４が設けられており、第１挟み板部５２と第２挟み板部５３との間に第１刃部材１０の第１突部１２を入れて、第１締結部材５５によりロックする。
【００２０】
第２位置決め部材６０は、例えばアルミニウムなどの熱伝導性が良い材料で作製され、第２円筒部６１を有し、第２円筒部６１の開口の兩側から、第３挟み板部６２と第４挟み板部６３とが伸び、第３挟み板部６２と第４挟み板部６３との間に一定の距離が存在し、第３挟み板部６２と第４挟み板部６３とには、第２刃部材２０の第２貫通孔２２１に対向する第２結合孔６４が設けられており、第３挟み板部６２と第４挟み板部６３との間に第２刃部材２０の第２突部２２を入れて、第２締結部材６５によりロックする。
【００２１】
第１発熱部材７０は、第１位置決め部材５０の第１円筒部５１内に位置決められており、その第１電源コード７１が第１ハンドル３０に固定されている。
【００２２】
第２発熱部材８０は、第１位置決め部材５０の第２円筒部６１内に位置決められており、その第２電源コード８１が第２ハンドル４０に固定されている。
【００２３】
弾性部材９０は、第１ハンドル３０と第２ハンドル４０との間に設けられている。
【００２４】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００２５】
１０   第１刃部材
１１   第１刃部
１２   第１突部
１２１ 第１貫通孔
２０   第２刃部材
２１   第２刃部
２２   第２突部
２２１ 第２貫通孔
３０   第１ハンドル
４０   第２ハンドル
５０   第１位置決め部材
５１   第１円筒部
５２   第１挟み板部
５３   第２挟み板部
５４   第１結合孔
５５   第１締結部材
６０   第２位置決め部材
６１   第２円筒部
６２   第３挟み板部
６３   第４挟み板部
６４   第２結合孔
６５   第２締結部材
７０   第１発熱部材
７１   第１電源コード
８０   第２発熱部材
８１   第２電源コード
９０   弾性部材
【図１】
0003218896.tif 000003
【図２】
0003218896.tif 000004
【図３】
0003218896.tif 000005
【図４】
0003218896.tif 000006